(57)【特許請求の範囲】
【請求項１】
受信したファクシミリデータを記憶する外部メモリを装着するためのスロットと、
電話網と接続し、ファクシミリデータの送受信を行う通信手段と、
上記通信手段を介して受信したファクシミリの信号を検知するファクシミリ受信検知手段と、
上記スロットに対する外部メモリの装着の有無を確認する外部メモリ有無確認手段と、
上記ファクシミリ受信検知手段がファクシミリの信号を検知したときに、外部メモリが上記スロットに装着されている場合には、受信したファクシミリデータを上記外部メモリに記憶し、
上記ファクシミリ受信検知手段がファクシミリの信号を検知したときに、外部メモリが上記スロットに装着されていない場合には、外部メモリが上記スロットに装着されるまで一定時間待ち、一定時間内に装着された場合には、受信したファクシミリデータを上記外部メモリに記憶する電話端末制御手段とを備えていることを特徴とする電話端末装置。
【請求項２】
上記ファクシミリ受信検知手段がファクシミリの信号を検知したときに、上記スロットに対する外部メモリの装着の有無に応じたメッセージをファクシミリの送信元に送信する外部メモリ有無通知手段を備えていることを特徴とする請求項１に記載の電話端末装置。
【請求項３】
上記ファクシミリ受信検知手段がファクシミリの信号を検知したときに、上記スロットに外部メモリが装着されていない場合、上記電話端末装置が呼出音を鳴らし続けるように制御する呼出音制御手段を備えていることを特徴とする請求項１に記載の電話端末装置。
【請求項４】
上記一定時間が経過するまでの間に、外部メモリが装着されていない旨を報知する外部メモリ装着待機報知手段を備えていることを特徴とする請求項１に記載の電話端末装置。
【請求項５】
受信したファクシミリデータを記憶する内部記憶部と、
受信したファクシミリデータが上記内部記憶部に格納されている状態にて、上記スロットに外部メモリが装着されたときに、内部記憶部内の上記ファクシミリデータを上記外部メモリに移動させる受信データ移動手段とを備えていることを特徴とする請求項１に記載の電話端末装置。
【請求項６】
受信したファクシミリデータを記憶する内部記憶部と、
受信したファクシミリデータが上記内部記憶部に格納されている状態にて、上記スロットに外部メモリが装着されたときに、内部記憶部内の上記ファクシミリデータを上記外部メモリに複写させる受信データ複写手段とを備えていることを特徴とする請求項１に記載の電話端末装置。
【請求項７】
上記内部記憶部内に記憶されているファクシミリデータの中ですでに外部メモリに記録された記録済みデータが残っている状態にて、該記録済みデータに対して一定のデータ記憶期間を設定する記憶期間設定手段と、
上記記憶期間経過後に上記内部記憶部内に存在する上記記憶期間が経過したファクシミリデータを消去する第１記録済みデータ消去手段を備えていることを特徴とする請求項６に記載の電話端末装置。
【請求項８】
上記内部記憶部内に記憶されているファクシミリデータの中ですでに外部メモリに記録された記録済みデータが残っている状態にて、上記ファクシミリ受信検知手段がファクシミリの信号を検知したときに、上記内部記憶部内に記録されているファクシミリデータの中ですでに外部メモリに記録された記録済みデータを消去する第２記録済みデータ消去手段を備えていることを特徴とする請求項６に記載の電話端末装置。
【請求項９】
受信したファクシミリデータを記憶する外部メモリを装着するためのスロットと、電話網と接続し、ファクシミリデータの送受信を行う通信手段とを備えている電話端末装置の制御方法において、
上記スロットに対する外部メモリの装着の有無を確認するステップを含み、
ファクシミリの受信時に外部メモリが上記スロットに装着されている場合には、受信したファクシミリデータを上記外部メモリに記憶し、
ファクシミリの受信時に外部メモリが上記スロットに装着されていない場合には、外部メモリが上記スロットに装着されるまで一定時間待ち、一定時間内に装着された場合には、受信したファクシミリデータを上記外部メモリに記憶することを特徴とする制御方法。
【請求項１０】
請求項１から８のいずれか一項に記載の電話端末装置における各手段として、コンピュータを機能させるための電話端末装置制御プログラム。
【請求項１１】
請求項１０に記載の電話端末装置制御プログラムを記録したことを特徴とするコンピュータ読み取り可能な記録媒体。
【発明の詳細な説明】
【技術分野】
【０００１】
本発明は、ファクシミリデータを受信し、該ファクシミリデータを外部メモリに記憶する電話端末装置およびその制御方法、電話端末装置制御プログラム、ならびに該プログラムを記録した記録媒体に関するものである。
【背景技術】
【０００２】
従来、電話端末装置は、通話機能のみを備え、ファクシミリ等のデータ受信機能を備えていない。
【０００３】
一般的に、従来のファクシミリ端末装置は、ファクシミリを受信するデータ受信機能と共に、格納したデータを印字するプリント機能とを備えており、ファクシミリを受信すると、受信したデータを付属のプリンタで印字するようになっている。
【０００４】
一方、パーソナルコンピュータに専用のファックスモデムを装着することにより、ファクシミリを受信する方法も一般的に知られている。この方法では、ファックスモデムを介してパーソナルコンピュータを電話回線に接続し、ファクシミリデータを受信するようになっている。
【０００５】
また、電話端末装置の機能を改良した例として、外部メモリを装着することにより、この外部メモリの装着を検知して、留守番電話用応答メッセージを標準装備メモリに記憶されたものから外部メモリに記憶されたものに切り替える留守番電話機が報告されている。
【０００６】
例えば特許文献１には、「オプションメモリの装着を検知して電話回線へのメッセージ出力を標準装備メモリからオプションメモリに切り替える」と、記載されている。
【０００７】
さらに、拡張カードを用いて、通信データ処理機能に関する内部制御プログラムの追加や変更を容易に行うことのできる電話端末装置が報告されている。例えば、特許文献２には、「拡張カードを用いて、通信データ処理機能の追加や、変更を容易に行うことのできる電話端末装置」と記載されている。
【特許文献１】特開平３−２３７８４８号公報（１９９１年１０月２３日公開）
【特許文献２】特開平７−１０７１４４号公報（１９９５年４月２１日公開）
【発明の開示】
【発明が解決しようとする課題】
【０００８】
しかしながら、上記従来のファクシミリ受信装置では、受信したデータを出力するためのプリンタを備えているので、ファクシミリ装置が大きくならざるを得ず、一定以上の大きさの設置場所が必要であるという問題点を有している。
【０００９】
また、ファックスモデムを使用してファクシミリデータを受信する方法では、パーソナルコンピュータを電話回線に接続する必要があるため、電話回線がある場所までパーソナルコンピュータ自体を移動しなければならないという問題点を有している。
【００１０】
本発明は、上記従来の問題点に鑑みなされたものであって、その目的は、電話回線に常時接続している電話機を利用し、少ない設置面積でファクシミリを受信することができる電話端末装置およびその制御方法、電話端末装置制御プログラム、ならびに該プログラムを記録した記録媒体を提供することにある。
【課題を解決するための手段】
【００１１】
本発明の電話端末装置は、上記課題を解決するために、受信したファクシミリデータを記憶する着脱自在な外部メモリと、電話網と接続し、ファクシミリデータの送受信を行う通信手段と、上記通信手段を介して受信したファクシミリの信号を検知するファクシミリ受信検知手段と、上記外部メモリの装着の有無を確認する外部メモリ有無確認手段と、上記ファクシミリ受信検知手段がファクシミリの信号を検知した場合に、上記外部メモリの装着の有無に応じて予めプログラムされた処理を行うとともに、ファクシミリの信号が検知されかつ外部メモリの装着有のときには、受信したファクシミリデータを上記外部メモリに記録させる電話端末制御手段とを備えていることを特徴としている。
【００１２】
本発明の電話端末装置の制御方法は、上記課題を解決するために、受信したファクシミリデータを記憶する着脱自在な外部メモリと、電話網と接続し、ファクシミリデータデータの送受信を行う通信手段と、上記通信手段を介して受信したファクシミリの信号を検知するファクシミリ受信検知手段とを備えている電話端末装置の制御方法において、上記外部メモリの装着の有無を確認するステップと、上記ファクシミリの信号を検知した場合に、上記外部メモリの装着の有無に応じて予めプログラムされた処理を行うとともに、ファクシミリの信号が検知されかつ外部メモリの装着有のときには、受信したファクシミリデータを上記外部メモリに記録させるステップとを備えていることを特徴としている。
【００１３】
上記の構成によれば、電話端末装置は、電話網を介してファクシミリデータを受信し、該ファクシミリデータを受信した時に、外部メモリが装着されているか否かを確認する。外部メモリの有無を確認した上記電話端末装置は、外部メモリが装着されているか否かに応じ、予めプログラムされた処理を行う。そして、ファクシミリの信号が検知されかつ外部メモリの装着有のときには、受信したファクシミリデータを上記外部メモリに記録させる。
【００１４】
したがって、ファクシミリデータを受信したとき、外部メモリが装着されている場合には、電話端末制御手段によって、上記データを外部メモリに記憶することができる。外部メモリに記憶されたファクシミリデータは、任意のパーソナルコンピュータ等で閲覧、印刷、保存、および編集を行うことが可能である。また、上記電話端末装置は、外部メモリが装着されていない場合にも、電話端末制御手段が、予めプログラムされた処理を行うことにより、任意の対応をすることができる。
【００１５】
すなわち、上記電話端末装置では、ファクシミリデータを外部メモリに記憶することができ、また、外部メモリに記憶されたファクシミリデータは、任意のパーソナルコンピュータで閲覧することができるので、ファクシミリデータの出力手段としてプリンタを必要としない。
【００１６】
この結果、電話回線に常時接続している電話機を利用し、少ない設置面積でファクシミリを受信することができる電話端末装置およびその制御方法を提供することができる。
【００１７】
また、本発明の電話端末装置では、上記電話端末制御手段は、ファクシミリの受信時に、外部メモリの有無に応じたメッセージをファクシミリの送信元に送信する外部メモリ有無通知手段を備えていることが好ましい。
【００１８】
上記の構成によると、ファクシミリの受信時に、外部メモリが装着されている場合には、データ受信が可能である旨をファクシミリの送信元に通知する一方、外部メモリが装着されていない場合には、データ受信が不可能である旨をファクシミリの送信元に通知する。したがって、ファクシミリの送信元は、ファクシミリデータ送信の可否を明確に認識することができる。
【００１９】
また、本発明の電話端末装置では、上記電話端末制御手段は、ファクシミリの受信時に外部メモリが装着されていない場合、上記電話端末装置が呼出音を鳴らし続けるように制御する呼出音制御手段を備えていることが好ましい。
【００２０】
上記の構成によると、電話端末制御手段の呼出音制御手段は、ファクシミリの受信時に外部メモリが装着されていない場合には、上記電話端末装置のユーザが上記電話端末装置の受話器を取るなどの応答を行うまで、呼出音を鳴らし続ける。
【００２１】
したがって、ファクシミリの送信元は、呼出音が鳴り続けていることによって、ファクシミリを送信することができない状態であると認識することができる。また、上記ユーザは、呼出音によって電話またはファクシミリの着信が来ていることを認識することができる。
【００２２】
また、本発明の電話端末装置では、上記電話端末制御手段は、ファクシミリの受信時に外部メモリが装着されていない場合、外部メモリが装着されるまで一定時間待ち、一定時間内に外部メモリが装着された場合、受信したデータを該外部メモリに記憶させる外部メモリ装着待機処理手段を備えていることが好ましい。
【００２３】
上記構成によると、電話端末制御手段の外部メモリ装着待機処理手段は、ファクシミリを受信した場合、外部メモリが装着されていないときは外部メモリが装着されるまで一定時間待ち、一定時間内に外部メモリが装着されたときにはファクシミリを受信し、受信したファクシミリデータを外部メモリに記憶する。
【００２４】
したがって、外部メモリを該電話端末装置に装着していない状態でファクシミリを受信した場合でも、上記電話端末装置には外部メモリの装着待ち時間が設定されているので、上記電話端末装置のユーザは、該待ち時間内に外部メモリを装着することによりファクシミリを受信することができる。
【００２５】
また、本発明の電話端末装置では、上記電話端末制御手段は、ファクシミリの受信時に上記外部メモリが装着されていない場合、上記外部メモリが装着されるまで一定時間待ち、一定時間後に上記外部メモリが装着されていない場合、上記外部メモリが装着されていない旨を報知する外部メモリ装着待機報知手段とを備えていることが好ましい。
【００２６】
上記構成によれば、電話端末制御手段の外部メモリ装着待機報知手段は、ファクシミリを受信した時、外部メモリが装着されていない場合は、外部メモリが装着されるまで一定時間待ち、一定時間内に外部メモリが装着された場合、ファクシミリを受信し、受信したファクシミリデータを外部メモリに記憶する。そして、一定時間が経過しても外部メモリが装着されない場合、本電話端末装置は、予め記憶している音声情報などを再生し、本電話端末装置のユーザに、外部メモリが装着されていない旨を報知する。
【００２７】
したがって、ユーザは、データ受信要求が来ているが、外部メモリが装着されていないという状況を明確に認識することができる。そして、音声情報に気付いたユーザは、上記電話端末装置に外部メモリを装着し、ファクシミリデータを受信することができる。
【００２８】
また、本発明の電話端末装置では、受信したファクシミリデータを記憶する内部記憶手段と、上記内部記憶手段に受信したファクシミリデータが格納されている状態にて外部メモリが装着された場合に、内部記憶手段内の上記ファクシミリデータを上記外部メモリに移動させる受信データ移動手段とをさらに備えていることが好ましい。
【００２９】
また、本発明の電話端末装置では、受信したファクシミリデータを記憶する内部記憶手段と、上記内部記憶手段に受信したファクシミリデータが格納されている状態にて外部メモリが装着された場合に、内部記憶手段内の上記ファクシミリデータを上記外部メモリに複写させる受信データ複写手段とをさらに備えていることが好ましい。
【００３０】
上記構成によれば、電話端末装置は、受信したファクシミリデータを内部記憶手段に記憶する。また、内部記憶手段に記憶したファクシミリデータは、上記電話端末装置に外部メモリが装着された場合に、該外部メモリに記録される。
【００３１】
したがって、電話端末装置は、外部メモリ装着の有無に関わらず、ファクシミリを受信し、受信したファクシミリデータを記憶することができる。そして、上記電話端末装置は、内部記憶手段に記憶されたデータを外部メモリに記録することができる。
【００３２】
すなわち、上記電話端末装置では、外部メモリが装着されていないためにファクシミリを受信できないということがない。
【００３３】
また、ファクシミリデータを外部メモリに複写する場合、外部メモリにファクシミリデータが記録されると共に、内部記憶手段内にも上記ファクシミリデータが残ることになる。これは、例えば、内部記憶手段内に格納されているファクシミリデータを閲覧する機能を備えた電話端末装置に本発明を適用したときに、外部メモリにデータを記録した後も、電話端末装置から上記ファクシミリデータを閲覧できるので利便性が高い。
【００３４】
また、本発明の電話端末装置は、上記内部記憶手段内に記録されているファクシミリデータの中ですでに外部メモリに記録された記録済みデータが残っている状態にて該記録済みデータに対して一定のデータ記憶期間を設定する記憶期間設定手段と、上記記憶期間経過後に上記内部記憶手段内に存在する上記記憶期間が経過したファクシミリデータを消去する第１記録済みデータ消去手段を備えていることが好ましい。
【００３５】
上記構成によれば、記憶期間設定手段は、上記記録済みデータに記憶期間を設定し、第１記録済みデータ消去手段は、該記憶期間を経過した後に、上記記録済みデータを消去する。
【００３６】
したがって、上記記録済みデータが内部記憶手段内にいつまでも残っていることによって内部記憶手段の記憶容量を圧迫し、新たに受信するファクシミリデータが記録できなくなることを防ぐことができる。
【００３７】
また、本発明の電話端末装置では、上記内部記憶手段内に記録されているファクシミリデータの中ですでに外部メモリに記録された記録済みデータが残っている状態にて上記ファクシミリ受信検知手段がファクシミリの信号を検知した場合、上記内部記憶手段内に記録されているファクシミリデータの中ですでに外部メモリに記録された記録済みデータを自動的に消去する第２記録済みデータ消去手段を備えていることが好ましい。
【００３８】
上記構成によれば、内部記憶手段内に上記記録済みデータが存在する状態でファクシミリ受信検知手段がファクシミリの信号を検出した場合、第２記録済みデータ消去手段は記録済みデータを自動的に消去する。
【００３９】
したがって、記憶済みデータが存在することによって内部記憶手段の記憶容量が圧迫され、新たに受信するファクシミリデータが記憶できなくなることを防ぐことができる。
【００４０】
なお、上記電話端末装置における各手段を電話端末装置制御プログラムによりコンピュータに機能させることができる。
【００４１】
さらに、上記電話端末装置制御プログラムをコンピュータ読み取り可能な記録媒体に記録することにより、任意のコンピュータ上で電話端末装置制御プログラムを機能させることができる。
【発明の効果】
【００４２】
本発明の電話端末装置は、以上のように、ファクシミリ受信検知手段がファクシミリの信号を検知した場合に、外部メモリの装着の有無に応じて予めプログラムされた処理を行うとともに、ファクシミリの信号が検知されかつ外部メモリの装着有のときには、受信したファクシミリデータを上記外部メモリに記録させる電話端末制御手段とを備えているものである。
【００４３】
本発明の電話端末装置の制御方法は、以上のように、上記外部メモリの装着の有無を確認するステップと、ファクシミリの信号を検知した場合に、上記外部メモリの装着の有無に応じて予めプログラムされた処理を行うとともに、ファクシミリの信号が検知されかつ外部メモリの装着有のときには、受信したファクシミリデータを上記外部メモリに記録させるステップとを備えている方法である。
【００４４】
それゆえ、電話回線に常時接続している電話機を利用し、少ない設置面積でファクシミリを受信することができる電話端末装置の制御方法を提供するという効果を奏する。
【発明を実施するための最良の形態】
【００４５】
〔実施の形態１〕
本発明の実施の形態について図１ないし図７に基づいて説明すれば、以下の通りである。
【００４６】
本実施の形態の電話端末装置１０の外観を図３に示す。電話端末装置１０は、図３に示すように、ハンドセット１、液晶ディスプレイ２、留守／再生ボタン３、ダイヤルボタン４、拡張カードスロット５、およびＵＳＢスロット６を備えている。
【００４７】
電話端末装置１０は、図示していないが電話回線と接続している。電話端末装置１０は、電話回線を介して、他の電話端末装置との通話を可能にするものであり、また、電話回線を介して、ファクシミリデータを受信するものである。さらに、電話端末装置１０は、留守番電話機能を備えている。そして、電話端末装置１０は、ＵＳＢスロット６を介してＵＳＢメモリ（外部メモリ）７を接続することができる構成となっている。
【００４８】
ＵＳＢスロット６は、ＵＳＢメモリ７の接続を受け付けるものである。ＵＳＢメモリ７は、ＵＳＢスロット６に接続し、電話端末装置１０が受信したファクシミリデータを記憶するものである。
【００４９】
なお、本実施の形態では、ＵＳＢメモリ７をＵＳＢスロット６に接続する構成を示しているが、例えば、電話端末装置１０に、ＩＥＥＥ１３９４スロットを設け、ＩＥＥＥ１３９４によって外部メモリを接続する構成としてもよい。
【００５０】
また、ハンドセット１、液晶ディスプレイ２、留守／再生ボタン３、ダイヤルボタン４、および拡張カードスロット５は、従来技術であり、本発明の特徴とするところではないので、その説明を省略する。
【００５１】
電話端末装置１０は、ファクシミリデータを受信すると、ＵＳＢメモリ７がＵＳＢスロット６に装着されているか否かに応じた処理を行う。なお、この処理については、後に詳しく説明する。
【００５２】
上記構成の電話端末装置１０は、プリンタを備えていないので、従来の電話機と同程度のスペースに設置することができる。すなわち、従来のファクシミリ装置と比して小型であり、狭いスペースにも設置することができる。また、受信したファクシミリデータは、ＵＳＢメモリ７に記録し、任意のパーソナルコンピュータ上で閲覧、保存、印刷などの処理を、ユーザの意のままに行うことができる。
【００５３】
次に、電話端末装置１０が行う処理の詳細について図１および図２に基づいて以下に説明する。図１は電話端末装置１０の概略構成を、図２は、制御部３０の概略構成を示している。
【００５４】
図１に示すように、電話端末装置１０は、操作部１１、スピーカー制御部１２、スピーカー８、ＵＳＢスロット６、通信Ｉ／Ｆ（インターフェイス）部１３、制御部３０、モデム部１５、ＮＣＵ（Network Control Unit）１６、クロック１７、および記憶部１８を備えている。電話端末装置１０は、電話回線１９ａを介して電話網１９に接続している。なお、図１は、ＵＳＢメモリ７が電話端末装置１０に装着されている状態を示している。
【００５５】
操作部１１は、電話端末装置１０の表面に設けられた、ダイヤルボタン４、留守／再生ボタン３、およびハンドセット１などをユーザが操作することによって、操作データを作成し、制御部３０に送信する。
【００５６】
スピーカー制御部１２は、モデム部１５からの指示に従って、着信音や、応答メッセージなどを発生させるように、スピーカー８に指示を送る。また、スピーカー８は、上記スピーカー制御部１２の指示に対応する音声を発する。
【００５７】
通信Ｉ／Ｆ部１３は、制御部３０からの指示に従って、ＵＳＢメモリ７が装着されているか否かを検出し、制御部３０に該検出結果を送信する。また、受信したファクシミリデータは、通信Ｉ／Ｆ部１３がモデム部１５から取得し、ＵＳＢスロット６を介してＵＳＢメモリ７に記録する。
【００５８】
制御部３０は、電話端末装置１０内の各種構成を統括的に制御するものである。制御部３０の機能は、記憶部１８に記憶されたプログラムをＣＰＵ（Central Processing Unit）が実行することによって実現される。
【００５９】
モデム部１５は、通話時には、電話回線１９ａを介して送られてくるアナログ信号を受信してデジタル信号に変換し、電話端末装置１０から出力されるデジタル信号をアナログ信号に変換する。また、モデム部１５は、制御部３０の指示に従って、留守番電話の応答メッセージを再生する情報をスピーカー制御部１２に送信する。さらに、モデム部１５は、電話回線１９ａおよび電話網１９を介して、相手通信装置から送られてくるデータ受信要求信号、およびファクシミリ識別信号を検出し、該検出結果を制御部３０に送信する。なお、データ受信要求信号の例としてはＣＩ等が、ファクシミリ識別信号の例としてはＣＮＧ（CalliNG）等が挙げられる。
【００６０】
ＮＣＵ１６は、データ転送において、電話回線１９ａに対する発信および着信を制御するものである。ＮＣＵ１６は、制御部３０から送られてくる回線接続要求に従って、モデムを電話回線１９ａに接続する。
【００６１】
電話回線１９ａは、電話端末装置１０を電話網１９に接続するものである。電話網１９には、電話端末装置１０および他の複数の電話機、ファクシミリ装置など様々な装置が接続している。電話端末装置１０は、電話回線１９ａおよび電話網１９を介して通話要求、データ受信要求信号、ファクシミリ識別信号、およびファクシミリデータ等を送受信する。
【００６２】
クロック１７は、制御部３０の指示する時間を計測し、該時間が経過した時に制御部３０にその旨を通知する。
【００６３】
記憶部１８は、例えばＲＡＭ（random access memory）やＨＤＤ（ハードディスクドライブ）などの記憶装置を備えて、各種データおよび各種プログラムを記憶するものである。本実施の形態では、記憶部１８は、後に述べるユーザ設定などを記憶している。
【００６４】
制御部３０の詳細な構成を、図２に基づいて説明する。図２に示すように、制御部３０は、ファクシミリ受信確認部３１、電話端末制御部３２、およびＵＳＢメモリ有無確認部３３を備えている。
【００６５】
ファクシミリ受信確認部３１は、ファクシミリを受信したか否かを報告するようにモデム部１５に要求し、該報告結果をモデム部１５から受け取る。ファクシミリ受信確認部３１は、データ受信要求信号確認部３１ａおよびファクシミリ識別信号確認部３１ｂを備えている。
【００６６】
データ受信要求信号確認部３１ａは、モデム部１５に、データ受信要求信号の検出有無を報告するように要求し、要求した結果をモデム部１５から受け取る。なお、データ受信要求信号とは、ファクシミリの送信元が、電話端末装置１０のファクシミリ番号をダイヤルしたときに、電話網１９、電話回線１９ａ、およびＮＣＵ１６を介してモデム部１５に送信される信号である。データ受信要求信号の例としては、ＣＩ等が挙げられる。
【００６７】
また、ファクシミリ識別信号確認部３１ｂは、モデム部１５に、ファクシミリ識別信号の検出有無を報告するように要求し、該報告結果をモデム部１５から受け取る。なお、ファクシミリ識別信号とは、データ受信要求信号確認部３１ａがデータ受信要求信号の受信を確認した後に、上記ファクシミリの送信元から送信される信号である。ファクシミリ識別信号の例としては、ＣＮＧ等が挙げられる。
【００６８】
電話端末制御部３２は、ＵＳＢメモリ有無確認部３３から伝達されるＵＳＢメモリ７の装着有無に応じた処理を行う。電話端末制御部３２は、ＵＳＢメモリ有無通知部３２ａ、呼出音制御部３２ｂ、ＵＳＢメモリ装着待機処理部３２ｃ、およびＵＳＢメモリ装着待機報知部３２ｄをそなえている。
【００６９】
ＵＳＢメモリ有無通知部３２ａは、ファクシミリ受信確認部３１からファクシミリを受信したという報告を受けると、ＵＳＢメモリ有無確認部３３にＵＳＢメモリ７装着の有無を確認する。確認後、所定の時間が経過すると、モデム部１５に指示を送り、ＵＳＢメモリ７の装着の有無、すなわちファクシミリの受信が可能か否かをファクシミリの送信元に報知する。
【００７０】
呼出音制御部３２ｂは、ファクシミリ受信確認部３１からファクシミリを受信したという報告を受けると、ＵＳＢメモリ有無確認部３３にＵＳＢメモリ７装着の有無を確認する。ここで、ＵＳＢメモリ７が装着されていないことが確認された場合、モデム部１５に指示を送り、電話端末装置１０のユーザが応答する、もしくは、ファクシミリの送信元がファクシミリの送信を中止するまでの間、スピーカー８から呼出音を鳴らし続ける。
【００７１】
ＵＳＢメモリ装着待機処理部３２ｃは、ファクシミリ受信確認部３１からファクシミリを受信したという報告を受けると、ＵＳＢメモリ有無確認部３３にＵＳＢメモリ７装着の有無を確認する。ここで、ＵＳＢメモリ７が装着されていないことが確認された場合、ＵＳＢメモリ装着待機処理部３２ｃは、所定の時間待ち、所定の時間内にＵＳＢメモリ７が装着された場合、モデム部１５に指示を出し、ファクシミリデータを受信する。一方、所定の時間が経過してもＵＳＢメモリ７が装着されない場合、モデム部１５に指示を出し、留守番応答メッセージをファクシミリの送信元に送信させる。なお、本実施の形態では、留守番応答メッセージを送信させる構成を示したが、留守番応答メッセージを送信させず、モデム部１５に電話回線１９ａとの接続を切断するように指示を送る構成としてもよい。
【００７２】
ＵＳＢメモリ装着待機報知部３２ｄは、ファクシミリ受信確認部３１からファクシミリを受信したという報告を受けると、ＵＳＢメモリ有無確認部３３にＵＳＢメモリ７装着の有無を確認する。ここで、ＵＳＢメモリ７が装着されていないことが確認された場合、ＵＳＢメモリ装着待機報知部３２ｄは、所定の時間が経過した後にモデム部１５に指示を送る。モデム部１５は、スピーカー制御部１２、およびスピーカー８を介してＵＳＢメモリ７が装着されていない旨を示すメッセージを再生し、電話端末装置１０のユーザにＵＳＢメモリ７の装着を促す。
【００７３】
ＵＳＢメモリ有無確認部３３は、通信Ｉ／Ｆ部１３に対してＵＳＢメモリ７が装着されているか否かを報告するように要求し、該要求に応じて送信されるＵＳＢメモリ７の装着有無を電話端末制御部３２に伝達する。
【００７４】
留守番電話機能制御部３４は、モデム部１５に指示を出して、電話端末制御部３２が指定するメッセージをファクシミリの送信元に送信させるとともに、スピーカー制御部１２、およびスピーカー８を介して電話端末装置１０のユーザに伝達する。
【００７５】
上記構成において、電話端末装置１０がファクシミリを受信したときの動作を以下に説明する。まず、電話端末装置１０に被呼があったときに、電話端末装置１０が行う処理の詳細について、図１、図２、図４のフローチャート、および図５（ａ）（ｂ）（ｃ）に基づいて説明する。
【００７６】
ファクシミリの送信元が、電話端末装置１０のファクシミリ番号をダイヤルすると、データ受信要求信号が電話端末装置１０に送られる。上記データ受信要求信号は、ＮＣＵ１６を介してモデム部１５に送られる。モデム部１５は、データ受信要求信号を受信すると、スピーカー制御部１２に指示し、スピーカー８から被呼を鳴らす。また、同時に、モデム部１５は、制御部３０にデータ受信要求信号の検出を報告する。このデータ受信要求信号検出の報告は、制御部３０のデータ受信要求信号確認部３１ａに送られる。すなわち、制御部３０は、データ受信要求信号の検出報告があるか否かによって、被呼の有無を判断する（Ｓ１）。被呼がない場合、Ｓ１に戻る。一方、被呼が有る場合、制御部３０は、留守設定になっているか否かを確認する（Ｓ２）。留守設定になっていない場合、Ｓ１に戻る。一方、留守設定になっている場合、制御部３０は、着信音の鳴った回数が所定の数を経過したか否かを確認する（Ｓ３）。着信音が鳴った回数が、所定の数を超えていない場合はＳ１に戻る。一方、所定の数を経過している場合、制御部３０のＵＳＢメモリ有無確認部３３は、通信Ｉ／Ｆ部１３に、ＵＳＢメモリ７が装着済みか否かを報告するように要求する（Ｓ４）。報告の結果、ＵＳＢメモリ７が装着済みであった場合、図５（ａ）に示すような、ファクシミリの受信が可能である旨を示す応答メッセージ１が再生される（Ｓ５）。一方、ＵＳＢメモリ有無確認部３３が、ＵＳＢメモリ７が装着されていないという報告を受けた場合、図５（ｂ）に示すようなファクシミリの受信ができない旨を示す応答メッセージ２を再生する（Ｓ６）。なお、Ｓ５およびＳ６では、制御部３０は、スピーカー制御部１２に、上記メッセージを再生するように指示を送るとともに、モデム部１５に指示を送り、ファクシミリの送信元に対して上記応答メッセージ１、または応答メッセージ２を送信させる。そして、指示を受けたスピーカー制御部１２は、スピーカー８からメッセージを再生し、モデム部１５は、再生されているメッセージをファクシミリの送信元に送信する。
【００７７】
ところで、Ｓ２およびＳ３は、ファクシミリを受信するときの受信設定を満たしているか否かの確認である。この受信設定は、電話端末装置１０に予め設定されており、受信設定を満たしたときにファクシミリを受信する構成となっている。受信設定は記憶部１８に記憶されており、ユーザは受信設定を任意に変更することができる。データ受信要求信号が検出された場合、制御部３０は、受信設定を読み出して、この受信設定が満たされているか否かを判断する。なお、本実施の形態では、受信設定は、留守設定がＯＮになっており、かつ、着信呼び出し回数が所定の回数を経過した場合に、ファクシミリデータを受信するというものを示しているが、必ずしもこれに限られず、留守設定がＯＦＦの状態で、ファクシミリデータを受信する設定に変更すること等も可能である。
【００７８】
続いて、上記応答メッセージ１または応答メッセージ２が再生された後に制御部３０が行う処理の詳細について、図６のフローチャート、および図２に基づいて説明する。
【００７９】
まず、制御部３０は、再生された応答メッセージが、応答メッセージ１であるか否かを判別する（Ｓ１１）。応答メッセージ１である場合、制御部３０のファクシミリ識別信号確認部３１ｂは、モデム部１５に、ファクシミリ識別信号の検出の有無を確認する（Ｓ１２）。ファクシミリ識別信号の検出が報告された場合、受信フェーズに移行する（Ｓ１３）。なお、受信フェーズ、および受信フェーズ以降の処理は、後に詳しく説明する。
【００８０】
一方、Ｓ１２においてファクシミリ識別信号の検出が報告されない場合、ファクシミリ識別信号確認部３１ｂは、ファクシミリ識別信号の検出結果をモデム部１５に要求してから所定の時間が経過したか否か、すなわちタイムアップか否かを判断する（Ｓ１４）。タイムアップではない場合、Ｓ１２に戻る。一方、タイムアップの場合、留守録音等を行い、電話回線１９ａとの接続を切る（Ｓ１５）。
【００８１】
また、Ｓ１１において応答メッセージ２が再生された場合、すなわち応答メッセージ１ではない場合には、ＵＳＢメモリ有無確認部３３は、通信Ｉ／Ｆ部１３にＵＳＢメモリ７の装着を確認させる（Ｓ１６）。ＵＳＢメモリ７の装着が報告された場合、上記Ｓ１２に進んでファクシミリ識別信号の検出の有無を確認する。
【００８２】
ここで、ファクシミリの送信元が手動送信、すなわち受話器をとってメッセージを聞ける状態である場合、上記ファクシミリの送信元は、電話端末装置１０にＵＳＢメモリ７が装着されたことがわからないので、ファクシミリの送信の可否を認識することができないということも考えられる。そこで、Ｓ１６からＳ１２に移行するときに、図５（ｃ）に示すような、ファクシミリの受信準備ができたことを報知するメッセージを上記ファクシミリの送信元に流してもよい。
【００８３】
一方、Ｓ１６においてＵＳＢメモリ７の装着が報告されない場合、ＵＳＢメモリ有無確認部３３は、通信Ｉ／Ｆ部１３にＵＳＢメモリ７の装着有無確認を要求してから所定の時間が経過したか否か、すなわちタイムアップか否かを判断する（Ｓ１７）。タイムアップではない場合、Ｓ１６に戻る。一方、タイムアップである場合、上記Ｓ１５に移行し、留守録音等を行い、電話回線１９ａとの接続を切る。
【００８４】
以上の処理によって、ＵＳＢメモリ７がファクシミリ識別信号検出時に装着されている場合、またはタイムアップまでにＵＳＢメモリ７が装着された場合には、上記受信フェーズに移行することができる。一方、ＵＳＢメモリ７が装着されずにタイムアップを迎えた場合には、留守録音等を行い、電話回線１９ａとの接続を切る。
【００８５】
ところで、制御部３０が、データ受信要求信号を検出し、ユーザ設定を満たされていることを確認した（図４のＳ３でＹＥＳ）後の処理は、図７のフローチャートに示すようなプロセスとしてもよい。
【００８６】
すなわち、図７に示すように、上記ユーザ設定が満たされていることを確認したファクシミリ識別信号確認部３１ｂは、モデム部１５にファクシミリ識別信号の検出報告を要求し、検出報告を受け取る（Ｓ２１）。制御部３０がファクシミリ識別信号の検出を確認した場合、ＵＳＢメモリ有無確認部３３は、通信Ｉ／Ｆ部１３に対して、ＵＳＢメモリ７が装着済みか否かを確認するように要求する（Ｓ２２）。そして、通信Ｉ／Ｆ部１３は、ＵＳＢメモリ７が装着済みか否かを確認し、確認した結果をＵＳＢメモリ有無確認部３３に報告する。ここで、ＵＳＢメモリ有無確認部３３が、ＵＳＢスロット６にＵＳＢメモリ７が装着されていることを確認した場合、受信フェーズに移行する（Ｓ２３）。
【００８７】
一方、Ｓ２１においてファクシミリ識別信号が検出されない場合、ファクシミリ識別信号確認部３１ｂは、ファクシミリ識別信号の検出報告をモデム部１５に要求してから所定の時間が経過したか否か、すなわちタイムアップか否かを判断する（Ｓ２４）。タイムアップの場合、留守録音等を行い、電話回線１９ａとの接続を切る（Ｓ２５）。タイムアップではない場合、Ｓ２１に戻る。
【００８８】
また、Ｓ２２において、ＵＳＢメモリ有無確認部３３が、ＵＳＢメモリ７の装着を確認できなかった場合、ＵＳＢメモリ有無確認部３３は、通信Ｉ／Ｆ部１３にＵＳＢメモリ７の装着有無の報告を要求してから所定の時間が経過したか否か、すなわちタイムアップか否かを判断する（Ｓ２６）。タイムアップの場合、留守録音等を行い、電話回線１９ａとの接続を切る（Ｓ２５）。一方、タイムアップでない場合、電話端末制御部３２のＵＳＢメモリ装着待機報知部３２ｄは、ＵＳＢメモリ７の装着をユーザに促す要求メッセージの再生を、スピーカー制御部１２に指示する。該指示を受けたスピーカー制御部１２は、スピーカー８を介して要求メッセージを再生する（Ｓ２７）。要求メッセージは、例えば図５（ｄ）で示されるようなメッセージが考えられる。
【００８９】
上述したように、本実施の形態では、ＵＳＢメモリ７が装着されていない場合には、電話端末装置１０のユーザに、ＵＳＢメモリ７の装着を促す要求メッセージが再生される。したがって、上記ユーザは、ファクシミリの送信要求が来ているが、ＵＳＢメモリ７が装着されていない状況を、明確に把握することができる。そして、要求メッセージに気付いたユーザは、ＵＳＢメモリ７を電話端末装置１０に装着し、ファクシミリデータを受信することができる。
【００９０】
ここで、受信フェーズについて図１に基づいて説明する。受信フェーズに入ると、制御部３０は、モデム部１５にファクシミリ受信可能信号をファクシミリの送信元に送信するように指示する。指示を受けたモデム部１５は、上記ファクシミリ受信可能信号を、ＮＣＵ１６、電話回線１９ａ、および電話網１９を介して、ファクシミリの送信元に送る。ファクシミリの送信元は、ファクシミリ受信可能信号を受け取ると、ファクシミリデータを送信する。そして、該ファクシミリデータは、電話網１９、電話回線１９ａ、およびＮＣＵ１６を介してモデム部１５に渡される。通信Ｉ／Ｆ部１３は、上記ファクシミリデータをモデム部１５から取得し、ＵＳＢスロット６を介してＵＳＢメモリ７に送り、ここに記録する。
【００９１】
次に、ＵＳＢメモリ７に記録されたファクシミリデータの閲覧方法について説明する。電話端末装置１０のユーザは、ファクシミリデータが記録されたＵＳＢメモリ７を取り外し、任意のパーソナルコンピュータのＵＳＢスロットにＵＳＢメモリ７を接続することによって、ファクシミリデータを閲覧、保存、印刷等の任意の処理を行うことができる。なお、ファクシミリ送信元から送られてくるファクシミリデータの画像フォーマットは、例えば、ＭＭＲ、ＭＲ、ＭＨ、ＪＢＩＧ等である。本実施の形態では、これらの画像フォーマットの変換は行わず、パーソナルコンピュータで閲覧するときに、閲覧ソフトを使用して閲覧する構成である。しかし、受信したファクシミリデータをＵＳＢメモリ７に記憶する前に、上記のＭＭＲ、ＭＲ、ＭＨ、ＪＢＩＧ等の画像フォーマットからＴＩＦＦ（Tagged-Image File Format）やＰＤＦ（Portable Document Format）（登録商標）等の画像フォーマットに変換する変換手段をさらに備える構成とすることも可能である。ＴＩＦＦやＰＤＦ形式のファイルは、広く普及しており、多くのパーソナルコンピュータで閲覧が可能である。したがって、上記変換手段を備えた構成とした場合、ユーザは、閲覧ソフトを使用する必要がないので、ユーザの利便性が向上する。
【００９２】
以上のように、電話端末装置１０は、ＵＳＢメモリ７の有無に対応する処理を行い、ファクシミリデータを受信することができる。
【００９３】
〔実施の形態２〕
本発明の他の実施の形態について図８ないし図１３に基づいて説明すれば、以下の通りである。なお、本実施の形態において説明すること以外の構成は、上記実施の形態１と同じである。また、説明の便宜上、上記の実施の形態１の図面に示した部材と同一の機能を有する部材については、同一の符号を付し、その説明を省略する。
【００９４】
本実施の形態の電話端末装置は、上記実施の形態１の電話端末装置１０の構成に加えて、受信したファクシミリデータを記憶部に格納する手段を備えている。
【００９５】
本実施の形態の電話端末装置２０の詳細について図８に基づいて説明する。図８は、電話端末装置２０の概略構成を示している。
【００９６】
まず、図１において、制御部４０は、電話端末装置２０内の各種構成を統括的に制御する。制御部４０の機能は、記憶部４８に記憶されたプログラムをＣＰＵが実行することによって実現される。
【００９７】
記憶部４８は、例えば図示しないＲＡＭやハードディスクドライブなどの記憶装置を備えて、各種データおよび各種プログラムを記憶する。本実施の形態では、記憶部４８は、受信データ格納領域４８ａを備えている。
【００９８】
次に、電話端末装置２０の制御部４０の詳細について説明する。図９は、制御部４０の概略構成を示している。電話端末装置２０がファクシミリを受信したときの動作を図９に基づいて説明する。
【００９９】
受信データ移動／複写部４１は、通信Ｉ／Ｆ部１３に指示を送り、記憶部４８内の受信データ格納領域４８ａに格納されているファクシミリデータを、ＵＳＢメモリ７に移動または複写させる。
【０１００】
記憶期間設定部４２は、受信データ移動／複写部４１から、ファクシミリデータをＵＳＢメモリ７に移動させたという報告を受けると、クロック１７に任意の時間のタイマーをセットする。
【０１０１】
記録済みデータ消去部４３は、受信データ格納領域４８ａ内のファクシミリデータのうち、ＵＳＢメモリ７に複写済みのファクシミリデータ、すなわち記録済みデータを消去する。記録済みデータ消去部４３は、第１記録済みデータ消去部４３ａと、第２記録済みデータ消去部４３ｂとを備えている。
【０１０２】
第１記録済みデータ消去部４３ａは、クロック１７から、タイマーにセットされた時間が経過したとの報告を受け、受信データ格納領域４８ａ内の上記記録済みデータを消去する。
【０１０３】
第２記録済みデータ消去部４３ｂは、タイマーセットの有無に関わらず、受信データ格納領域４８ａ内に、ＵＳＢメモリ７に記録済みデータが残っている状態で、ファクシミリ識別信号確認部３１ｂからファクシミリ識別信号の検出を確認したという報告を受けたときに上記記録済みデータを消去する。
【０１０４】
また、第１記録済みデータ消去部４３ａと第２記録済みデータ消去部４３ｂとを併用することもできる。この場合、上記タイマーにセットされた時間が経過したときには、第１記録済みデータ消去部４３ａが上記記録済みデータを消去し、上記タイマーにセットされた時間が経過するまでにファクシミリ識別信号の検出が報告されたときには、第２記録済みデータ消去部４３ｂが上記記録済みデータを消去する。
【０１０５】
電話端末装置２０がファクシミリを受信したときに行う処理の概略について、図８および図９に基づいて説明すると以下の通りである。
【０１０６】
ファクシミリの送信元が、電話端末装置２０のファクシミリ番号をダイヤルしてから、モデム部１５がファクシミリデータを受け取るまでの処理は実施の形態１と同様であるからその説明を省略する。
【０１０７】
本実施の形態のモデム部１５は、ファクシミリデータを受け取ると、上記ファクシミリデータを記憶部４８の受信データ格納領域４８ａに格納する。制御部４０は、受信データ格納領域４８ａに上記ファクシミリデータが格納されると、該データをＵＳＢメモリ７に書き込む処理を行う。
【０１０８】
該書き込み処理について、図１０のフローチャートおよび図９に基づいて説明する。
【０１０９】
まず、受信データ移動／複写部４１は、受信データ格納領域４８ａにファクシミリデータが格納されているか否か、すなわち受信データの有無を判定する（Ｓ３１）。ファクシミリデータが格納されていない場合、受信データ移動／複写部４１は、データ書き込み処理を行わずに処理を終了する。一方、ファクシミリデータが格納されている場合、ファクシミリ受信確認部３１は、電話端末装置２０がデータの受信を行っているか否か、すなわち受信中か否かを判定する（Ｓ３２）。
【０１１０】
データの受信中である場合、受信データ移動／複写部４１はデータ書き込み処理を行わずに処理を終了する。一方、データの受信中ではない場合、ＵＳＢメモリ有無確認部３３は、通信Ｉ／Ｆ部１３に、ＵＳＢメモリ７の装着有無の確認を要求する（Ｓ３３）。ＵＳＢメモリ７が装着されているという報告を受けた場合、受信データ移動／複写部４１は、通信Ｉ／Ｆ部１３にデータ移動指示を送り、受信データ格納領域４８ａに格納されているファクシミリデータを、ＵＳＢメモリ７に移動させる（Ｓ３４）。一方、ＵＳＢメモリ有無確認部３３がＵＳＢメモリ７の装着を確認できなかった場合、受信データ移動／複写部４１はデータ書き込み処理を行わずに処理を終了する。
【０１１１】
電話端末装置２０は、上記のプロセスによって、受信データ格納領域４８ａに格納したデータをＵＳＢメモリ７に移動する。
【０１１２】
また、電話端末装置２０は、受信データ格納領域４８ａに格納されているデータの中でＵＳＢメモリ７に記録済みのデータにタイマーをセットし、タイマーが計測する所定の時間が経過した後に上記データを消去する機能を備えている。
【０１１３】
この機能の詳細について、図１１のフローチャートに基づいて説明する。なお、同図において、ＵＳＢメモリ７の装着有無の確認を要求する(Ｓ３１〜Ｓ３３)までの処理は、すでに示したデータ書き込み処理と共通であるから、その説明を省略する。
【０１１４】
Ｓ３３でＵＳＢメモリ７の装着が確認された場合、受信データ移動／複写部４１は、通信Ｉ／Ｆ部１３に指示を送り、受信データ格納領域４８ａに格納されているファクシミリデータをＵＳＢメモリ７に複写させる（Ｓ３４´）。なお、上記のＳ３４では、ファクシミリデータを移動させているため、受信データ格納領域４８ａには、ファクシミリデータは残らないが、Ｓ３４´では、ファクシミリデータを複写しているので、受信データ格納領域４８ａ内に複写済みファクシミリデータが残ることになる。ここで、電話端末装置２０にＵＳＢメモリ７とはまた別のＵＳＢメモリを装着した場合、別のＵＳＢメモリにも同じデータを保存することができるので、受信したファクシミリのデータを複数人で閲覧したいような場合に便利である。また、本実施の形態では示していないが、電話端末装置２０に、受信データ格納領域４８ａ内のファクシミリデータを閲覧する機能を持たせた場合、ＵＳＢメモリ７にファクシミリデータを記録した後でも、電話端末装置２０でファクシミリデータを閲覧することができる。
【０１１５】
記憶期間設定部４２は、ＵＳＢメモリ７にデータが複写されたことを確認すると、クロック１７にタイマーをセットする（Ｓ３５）。このタイマーには、任意の時間（タイマー時間）を設定することができる。そして、クロック１７は、上記タイマー時間が経過したか否かを第一記録済みデータ消去部４３ａに報告する（Ｓ３６）。
【０１１６】
上記タイマー時間が経過したという報告を受けた第一記録済みデータ消去部４３ａは、受信データ格納領域４８ａから上記複写済み受信データを消去する（Ｓ３７）。
【０１１７】
さらに、電話端末装置２０は、受信データ格納領域４８ａに、ＵＳＢメモリ７に複写済みのファクシミリデータが残っている状態でファクシミリを受信した場合に、上記複写済みファクシミリデータを自動的に消去する機能を備えている。
【０１１８】
この機能の詳細について、図１２のフローチャートおよび図９に基づいて説明する。なお、Ｓ３１〜Ｓ３４´までの処理は、図１１と同様であるから説明を省略する。
【０１１９】
第２記録済みデータ消去部４３ｂは、ファクシミリ識別信号確認部３１ｂに、ファクシミリ識別信号の検出の有無、すなわちデータ受信要求の有無を確認する（Ｓ３８）。データ受信要求が有った場合、第２記録済みデータ消去部４３ｂは、受信データ格納領域４８ａの複写済み受信データを消去する（Ｓ３７）。
【０１２０】
また、電話端末装置２０は、上述したタイマー時間が経過した後に上記記録済みデータを消去する機能と、上記記録済みデータが記憶部４８内に存在している状態でファクシミリを受信したときに、上記記録済みファクシミリデータを消去する機能とを併用する構成とすることもできる。
【０１２１】
この構成における電話端末装置２０の機能の詳細について図１３のフローチャートおよび図９に基づいて説明する。なお、図１３において、Ｓ３１からＳ３４´は、図１１〜１２のフローチャートで説明した処理と共通しているので説明を省略し、Ｓ３４´以降の処理を説明する。
【０１２２】
ＵＳＢメモリ７に受信データを複写（Ｓ３４´）後、タイマーをセットし（Ｓ３５）、タイマー時間が経過した場合は、受信データ格納領域４８ａの複写済み受信データを消去する（Ｓ３７）。一方、タイマー時間が経過していない場合、データ受信要求の有無を確認する（Ｓ３８）。データ受信要求があった場合、ファクシミリ識別信号確認部３１ｂから記憶期間設定部４２にその旨が報告され、記憶期間設定部４２は、クロック１７にセットされているタイマーを消去する（Ｓ３９）。また、ファクシミリ識別信号確認部３１ｂは、第２記録済みデータ消去部４３ｂにもデータ受信要求を受信したことを報告し、該報告を受けた第２記録済みデータ消去部４３ｂは、受信データ格納領域４８ａの複写済み受信データを消去する（Ｓ３７）。一方、データ受信要求がなかった場合には、Ｓ３６に戻ってタイマー時間が経過したか否かを再度確認する。
【０１２３】
以上のようにして、電話端末装置２０は、受信したファクシミリデータを記憶部４８の受信データ格納領域４８ａに格納することができる。そして、電話端末装置２０は、上記ファクシミリデータをＵＳＢメモリ７に記録することができる。また、電話端末装置２０は、上記のように、受信データ格納領域４８ａに記録されているファクシミリデータの中で、ＵＳＢメモリ７に記録済みのデータを自動的に消去することができる。
【０１２４】
なお、実施の形態２では、受信データ移動／複写部４１が、受信データ格納領域４８ａ内にファクシミリデータが格納されている状態を検知し、該ファクシミリデータをＵＳＢメモリ７に移動または複写する構成を示したが、受信データ格納領域４８ａ内に格納されているファクシミリデータを、操作部１１への操作入力によって手動で移動または複写させる構成とすることもできる。
【０１２５】
また、上述の説明では、外部メモリとしてＵＳＢメモリを使用し、電話端末装置にＵＳＢスロットを設けた場合について説明したが、これに限るものではない。ＩｒＤＡや、Ｂｌｕｅｔｏｏｔｈ（登録商標）のような無線接続で、電話端末装置が受信したファクシミリデータを、外部メモリに渡す構成であってもよい。
【０１２６】
ただし、ＵＳＢメモリは広く普及しているので、本実施の形態のように外部メモリがＵＳＢメモリの場合は、多くのユーザにとって利便性が高い。
【０１２７】
最後に、電話端末装置１０および電話端末装置２０の各ブロック、特に通信Ｉ／Ｆ部１３、制御部２４、モデム部１５、および制御部２４は、ハードウェアロジックによって構成してもよいし、次のようにＣＰＵを用いてソフトウェアによって実現してもよい。
【０１２８】
すなわち、電話端末装置１０および電話端末装置２０は、各機能を実現する制御プログラムの命令を実行するＣＰＵ（central processing unit）、上記プログラムを格納したＲＯＭ（read only memory）、上記プログラムを展開するＲＡＭ、上記プログラムおよび各種データを格納するメモリ等の記憶装置（記録媒体）などを備えている。そして、本発明の目的は、上述した機能を実現するソフトウェアである電話端末装置１０および電話端末装置２０の制御プログラムのプログラムコード（実行形式プログラム、中間コードプログラム、ソースプログラム）をコンピュータで読み取り可能に記録した記録媒体を、上記電話端末装置１０および電話端末装置２０に供給し、そのコンピュータ（またはＣＰＵやＭＰＵ）が記録媒体に記録されているプログラムコードを読み出し実行することによっても、達成可能である。
【０１２９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３０】
また、電話端末装置１０および電話端末装置２０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３１】
本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０１３２】
本発明は、ファクシミリデータを受信し、該ファクシミリデータを外部メモリに記憶する電話端末装置およびその制御方法、電話端末装置制御プログラム、ならびに該プログラムを記録した記録媒体に利用することができる。
【図面の簡単な説明】
【０１３３】
【図１】本発明の実施の形態を示すものであり、電話端末装置の要部構成を示すブロック図である。
【図２】上記電話端末装置の制御部の要部構成を示すブロック図である。
【図３】上記電話端末装置の概観を示す斜視図である。
【図４】上記電話端末装置が行う着信制御における、着信制御処理の流れを示すフローチャートである。
【図５】（ａ）（ｂ）（ｃ）（ｄ）は、上記電話端末装置が再生するメッセージの例を示す図である。
【図６】上記電話端末装置が行う応答制御における、応答／録音中制御（その１）処理の流れを示すフローチャートである。
【図７】上記電話端末装置が行う応答制御における、応答／録音中制御（その２）処理の流れを示すフローチャートである。
【図８】本発明の他の実施の形態を示すものであり、電話端末装置の要部構成を示すブロック図である。
【図９】上記電話端末装置の制御部の要部構成を示すブロック図である。
【図１０】上記電話端末装置が行うデータ書き込みにおける処理の流れを示すフローチャートである。
【図１１】上記電話端末装置が行うデータ消去における処理の流れを示すフローチャートである。
【図１２】上記電話端末装置が行うデータ消去における他の処理の流れを示すフローチャートである。
【図１３】上記電話端末装置が行うデータ消去におけるさらに他の処理の流れを示すフローチャートである。
【符号の説明】
【０１３４】
１    ハンドセット
２    液晶ディスプレイ
３    留守／再生ボタン
４    ダイヤルボタン
５    拡張カードスロット
６    ＵＳＢスロット
７    ＵＳＢメモリ（外部メモリ）
８    スピーカー
１０    電話端末装置
１１    操作部
１２    スピーカー制御部
１３    通信Ｉ／Ｆ部
１５    モデム部（通信手段）
１６    ＮＣＵ（通信手段）
１７    クロック
１８    記憶部
１９ａ  電話回線
１９    電話網
２０    電話端末装置
３０    制御部
３１    ファクシミリ受信確認部（ファクシミリ受信検知手段）
３１ａ  データ受信信号確認部
３１ｂ  ファクシミリ識別信号確認部
３２    電話端末制御部（電話端末制御手段）
３２ａ  ＵＳＢメモリ有無通知部（外部メモリ有無通知手段）
３２ｂ  呼出音制御部（呼出音制御手段）
３２ｃ  ＵＳＢメモリ装着待機処理部（外部メモリ装着待機処理手段）
３２ｄ  ＵＳＢメモリ装着待機報知部（外部メモリ装着待機報知手段）
３３    ＵＳＢメモリ有無確認部（外部メモリ有無確認手段）
３４    留守番電話機能制御部
４０    制御部
４１    受信データ移動／複写部（受信データ移動手段、受信データ複写手段）
４２    記憶期間設定部（記憶期間設定手段）
４３    記録済みデータ消去部
４３ａ  第１記録済みデータ消去部（第１記録済みデータ消去手段）
４３ｂ  第２記録済みデータ消去部（第２記録済みデータ消去手段）
４８    記憶部（内部記憶手段）
４８ａ  受信データ格納領域
【図１】
0004437794.tif 000002
【図２】
0004437794.tif 000003
【図３】
0004437794.tif 000004
【図４】
0004437794.tif 000005
【図５】
0004437794.tif 000006
【図６】
0004437794.tif 000007
【図７】
0004437794.tif 000008
【図８】
0004437794.tif 000009
【図９】
0004437794.tif 000010
【図１０】
0004437794.tif 000011
【図１１】
0004437794.tif 000012
【図１２】
0004437794.tif 000013
【図１３】
0004437794.tif 000014